(57)【要約】【課題】  密集して配置される可動体に対応する複数の駆動力伝達機構のコンパクト化を図った弾球遊技機の役物装置を提供することにある。【解決手段】  複数の可動体と、それら可動体に夫々対応する複数の駆動装置と、それら駆動装置の駆動力を対応する可動体に伝動する伝達手段とを備えた弾球遊技機の役物装置において、可動体たる腕９，９の背面側に２個の駆動装置たるソレノイド１３とソレノイド２２を縦方向に近接させて配置し、一方のソレノイド１３によって直接的に作動される伝達手段としてのスライド部材１５の縦溝１６内に、他方のソレノイド２２によって直接的に作動される伝達手段としてのスライド部材２５を収容し、それらスライド部材１５，２５が作動時に干渉することがないように全体をコンパクトに構成した。【選択図】  図３
2006167146.tif 000002
【特許請求の範囲】
【請求項１】
複数の可動体と、それら可動体に夫々対応する複数の駆動装置と、それら駆動装置の駆動力を対応する可動体に伝動する伝達手段とを備えた弾球遊技機の役物装置において、
前記可動体の背面側に前記駆動装置を同一方向に近接させて配置し、一方側に配置される駆動装置に設けられた伝達手段と他方側に配置される駆動装置に設けられた伝達手段とが、作動時に干渉することがないように構成されていることを特徴とする弾球遊技機の役物装置。
【請求項２】
前記駆動装置の駆動力が、前記伝達手段によって前記可動体に直接的に伝動されるように構成したことを特徴とする請求項１に記載の弾球遊技機の役物装置。
【請求項３】
一方側に配置される駆動装置に設けられた伝達手段が、他方側に配置される駆動装置に設けられた伝達手段の一部に収容されるように構成したことを特徴とする請求項１又は２に記載の弾球遊技機の役物装置。
【請求項４】
前記伝達手段がスライド部材であることを特徴とする請求項１から３の何れかに記載の弾球遊技機の役物装置。
【発明の詳細な説明】
【技術分野】
【０００１】
本発明は、打球の入賞に基づいて遊技者に有利な特別遊技状態を発生させる機会を付与するようにされたパチンコ機等の弾球遊技機の役物装置に関する。
【背景技術】
【０００２】
弾球遊技機としての従来のパチンコ機では、複数の駆動装置によって作動される可動体が密集して配置された中央役物と称せられる役物装置を備えている。この種の役物装置に関しては、互いに近接して密集して配置される可動体に対応する複数の駆動機構をコンパクトに構成する手法についての配慮がなされていない傾向にある。このため、複数のソレノイドやモータ装置等の駆動装置を可動体の位置から若干離れた箇所に設けて、それら駆動装置の駆動力をクランクやギア等の伝動方向変換用機械要素を介して可動体へ伝動させる駆動力伝達機構が一般的に採用されている。
【０００３】
ところが、上記駆動力伝達機構は、クランクやギア等の機械要素を要するために役物装置の製造コストが高くつき、駆動装置を設置するスペースを広く確保しなければならないという不都合があった。
【０００４】
例えば、特開２００３−２３６０８８号公報には、図柄を表示する表示部と、叩き台を叩くハンマーを模した第１可動体と、その表示部の特定部位を指示する人の手を模した第２可動体と、それら可動体を作動させて抽選結果を報知する連動駆動手段とを備えた遊技機が開示されている。それら第１可動体や第２可動体は、モータにより駆動されるギアの回転運動をラックとピニオン等による変換機構により直線運動に変換させることにより動作するように設けられている。
【０００５】
また、特開平１０−１９２４９５号公報には、可動部材によって受け入れられた遊技球の検出信号に基づいて当該可動部材の次回の１サイクルにおける開閉動作回数を抽出し、その抽出結果により可動部材を開閉作動する変動入賞装置が開示されている。この入賞装置には、遊技球を処理するためのソレノイドを用いた機構が装置後部の周囲に貼りつくように配置されている。
かかる現状から、互いに近接して密集して配置される可動体に対応する複数の駆動力伝達機構をコンパクトに役物装置に組み込むための技術の開発が要望されていた。
【特許文献１】特開２００３−２３６０８８号公報
【特許文献２】特開平１０−１９２４９５号公報
【発明の開示】
【発明が解決しようとする課題】
【０００６】
本発明の目的は、密集して配置される可動体に対応する複数の駆動力伝達機構のコンパクト化を図った弾球遊技機の役物装置を提供することにある。
【課題を解決するための手段】
【０００７】
前記目的を達成するために請求項１に記載した発明は、複数の可動体と、それら可動体に夫々対応する複数の駆動装置と、それら駆動装置の駆動力を対応する可動体に伝動する伝達手段とを備えた弾球遊技機の役物装置において、
前記可動体の背面側に前記駆動装置を同一方向に近接させて配置し、一方側に配置される駆動装置に設けられた伝達手段と他方側に配置される駆動装置に設けられた伝達手段とが、作動時に干渉することがないように構成されていることを特徴とする。
【０００８】
同様の目的を達成するために請求項２に記載した発明は、請求項１に記載の弾球遊技機の役物装置において、前記駆動装置の駆動力が、前記伝達手段によって前記可動体に直接的に伝動されるように構成したことを特徴とするものである。
【０００９】
同様の目的を達成するために請求項３に記載した発明は、請求項１又は２に記載の弾球遊技機の役物装置において、一方側に配置される駆動装置に設けられた伝達手段が、他方側に配置される駆動装置に設けられた伝達手段の一部に収容されるように構成したことを特徴とするものである。
【００１０】
同様の目的を達成するために請求項４に記載した発明は、請求項１から３の何れかに記載の弾球遊技機の役物装置において、前記伝達手段がスライド部材であることを特徴とするものである。
【発明の効果】
【００１１】
（請求項１の発明）
この弾球遊技機の役物装置は、密集して配置される可動体に対応する複数の駆動力伝達機構をコンパクトに組み込むことができ、省スペース化を図ることができる。
【００１２】
（請求項２の発明）
この弾球遊技機の役物装置は、密集して配置される可動体に対応する複数の駆動力伝達機構をコンパクトに組み込むことができ、クランクやギア等の機械要素を要しないので簡素な構造となって製造コストを低減することができる。
【００１３】
（請求項３及び請求項４の発明）
この弾球遊技機の役物装置は、一方側に配置される駆動装置に設けられた伝達手段を他方側に配置される駆動装置に設けられた伝達手段の一部に収容するように構成しているので、設計の合理化と省スペース化を図ることができる。
【発明を実施するための最良の形態】
【００１４】
以下に、本発明の最良の形態例を図面に基づいて説明する。図１はパチンコ機の役物装置の正面図、図２は役物装置の背面図、図３はキャラクター部の球停留部と打ち上げ部とを組み付けた状態を説明する斜視図、図４は球停留部におけるスライド部材の下降時の状態を示す斜視図、図５は球停留部におけるスライド部材の上昇時の状態を示す斜視図、図６は打ち上げ部におけるスライド部材の下降時の状態を示す斜視図、図７は本発明の役物装置を設置した遊技盤の説明図である。
【００１５】
この実施の形態では、弾球遊技機として打球の始動入賞口への入賞に基づいて遊技者に有利な特別遊技状態（いわゆる「大当たり」）を発生させる機会を付与するようにされるパチンコ機を例にして説明する。
【００１６】
本発明のパチンコ機の役物装置１は、図１に示すように、中央に大きな開口部３が形成された本体２の前面天部にゲートを備えた入賞口５を配置し、山形形状の顔部７ａとその両側に拳を握り締めた腕９，９が設けられたキャラクター部７を該開口部３に臨むように配置し、そのキャラクター部７の口部７ｂに円盤体３１の上面がやや前方へ傾いた状態で回転制御されるように設けられた電動回転装置３０を収容し、その電動回転装置３０の下方に遊技球の通る入賞経路を変化させる経路変換装置３５等を配置した構成とされている。４は本体２の前面側に一体に形成された取付板であり、この取付板４により役物装置１がパチンコ機の遊技盤に取り付けられるように設けられている。
【００１７】
上記キャラクター部７は本発明の要部をなす構成部分であり、図３に示すように、球停留部１２と打ち上げ部２１とを備えている。このキャラクター部７のフレーム８は、前記本体２の背面に固定されている。そのフレーム８の前面側には、互いに接近して密集して配置される可動体としての左右一対の腕９，９を前後方向に動作させる腕軸１０，１０をフレーム８の前部に支持させて前後方向へ回動可能に設け、それら腕軸１０の内端部に後方に向けて突出するようにレバー１１が夫々固定されている（図４）。
【００１８】
球停留部１２においては、駆動装置としてのソレノイド１３がフレーム８の背面下部に固定したブラケット１４にプランジャー１３ａを下向きにして取付けられている（図２）。１５は上方が開放された縦溝１６を中心に形成すると共に左右の側部１５ａの上方に二又形の係止片１７，１７が形成された伝達手段としてのスライド部材である。このスライド部材１５はフレーム８に上下方向に移動可能に設けられていて、下端部１５ｂに上記プランジャー１３ａの先端部が連結されている。１８は中央に開口１９が形成された半円形状の板部１８ａの後方周縁に円弧形の側壁部１８ｂを一体形成したストッパーである。このストッパー１８は、スライド部材１５の上端部１５ｃに側壁部１８ｂを後方にして固定されている。スライド部材１５の係止片１７，１７には、前記レバー１１，１１を夫々遊嵌させるように設けられている。
【００１９】
しかして、ソレノイド１３の非通電時にスライド部材１５及びストッパー１８が下降して腕９，９を振り上げた状態（図４）と、ソレノイド１３に通電されることによりスライド部材１５及びストッパー１８が上昇して腕９，９を振り下ろした状態（図５）とに変動する球停留部１２が構成される。
【００２０】
打ち上げ部２１においては、駆動装置としてのソレノイド２２がフレーム８の背面下部に固定したブラケット２３にプランジャー２２ａを下向きにして取付けられている。図２に示すように、そのソレノイド２２は、前記球停留部１２のソレノイド１３の真上に縦一列に配置されている。２５は横から見て縦長のＬ字形に形成された伝達手段としてのスライド部材であり、このスライド部材２５は、前記球停留部１２の開口１９に挿入されて縦溝１６内に収容された状態で前記フレーム８に上下方向に移動可能に設けられている。
【００２１】
このスライド部材２５の上端部には扁平な傘形の突き上げ板２６が固定され、その下端の横行部２５ａに上記プランジャー２２ａの先端部が連結されている。また、突き上げ板２６については、その後縁部２６ａを前記ストッパー１８の側壁部１８ｂの内面から僅かに隙間を生ずるように設けられ、キャラクター部７の上面が開放された頭部７ｃの内方に該ストッパー１８と共に臨むように設けられている。
【００２２】
しかして、ソレノイド２２の非通電時にスライド部材２５が下降した状態と、ソレノイド２２に通電されることによりスライド部材２５が上昇して突き上げ板２６に遊技球が乗っていれば当該遊技球を打ち上げる状態とに変動する打ち上げ部２１が構成される。
【００２３】
なお、球停留部１２のスライド部材１５と打ち上げ部２１のスライド部材２５とが下降した状態において、球停留部１２のストッパー１８の上面と打ち上げ部２１の突き上げ板２６の周縁の高さをほぼ同じとし、スライド部材２５が下降した状態で他方のスライド部材１５が上昇した状態では、ストッパー１８の上面が突き上げ板２６の周縁よりも高くなって当該突き上げ板２６に乗る遊技球が外に飛び出さないように設けられている。
【００２４】
つぎに、かかる構成になる本発明の役物装置１の作動を他の役物との関係において述べる。
まず、図７において、遊技盤４０の誘導レール４１により囲まれた遊技領域には、本発明の役物装置１が中央に配置されていて、その左下に始動入賞口４２、その下方に入賞口４３を配置し、その右側に回転式入賞装置４４と大入賞口４５を上下に配置し、その他に風車４６や図示しない多数の釘が配設されている。
【００２５】
（１）遊技領域に打ち込まれた遊技球が、釘に当たりながら流下して始動入賞口４２に入賞すると、入賞口５の開閉羽根５ａが所定時間だけ開放されて遊技球の入賞し易い状態とされる。
（２）その入賞口５に遊技球が入賞すれば、その入賞球はキャラクター部７の突き上げ板２６の上に落下し、この時に、球停留部１２のストッパー１８が上昇した状態であれば遊技球は突き上げ板２６の上に一旦停留し、そのストッパー１８が下降していれば図示しない経路を通って電動回転装置３０に誘導される。
（３）遊技球が突き上げ板２６の上に停留しているときに打ち上げ部２１のソレノイド２２が作動して当該突き上げ板２６が突き上げられると、遊技球は打ち上げられて図示しない経路を通り電動回転装置３０に誘導される。
（４）ついで、電動回転装置３０に誘導された遊技球は、円盤体３１の回転により遊技者にとって有利な方向か不利な方向の何れかに振り分けられ、有利な方向に導かれた遊技球は下方の経路変換装置３５に誘導され、ここで再び有利な方向か不利な方向の何れかに振り分けられる。
（５）即ち、電動回転装置３０にて有利な方向に導かれた（いわゆるＶゾーンを通過した）遊技球は、常には右方に傾動制御されるシーソー３６を通って近接スイッチ３７により検出されてから一旦待機状態となる。そして、その近接スイッチ３７の検出信号に基づいて特別遊技の抽選が開始され、遊技者に有利な特別遊技状態である「当たり」の場合には、振り分け用回転体３８が時計方向に回転して待機した遊技球を下方の入賞口３９ａに導く。他方、抽選の結果「ハズレ」の場合には、振り分け用回転体３８が反時計方向に回転して待機した遊技球をアウト口３９ｂに導く。また、遊技球が近接スイッチ３７を通過して待機状態にあるときには、シーソー３６を左方へ傾動させて新たに流入する遊技球をアウト口３９ｃへ誘導させる。
（６）（５）における特別遊技状態が発生すると、大入賞口４５の開閉羽根４５ａが間欠的に複数回の開閉動作を繰り返す。そして、大入賞口４５の複数回の開閉動作が終われば１回目の特別遊技状態が終了する。
【００２６】
上記実施の形態例においては、1つのスライド部材（伝達手段）１５の縦溝１６内に、１つのスライド部材（伝達手段）２５が収容された状態とされているが、例えば、スライド部材２５に対して別のスライド部材を収容して別途の可動体を作動させるような形態とすることも可能である。
【００２７】
以上に述べた通り、この弾球遊技機の役物装置は、密集して配置される可動体に対応する複数の駆動力伝達機構をコンパクトに組み込むことができ、クランクやギア等の機械要素を要しないので簡素な構造となって製造コストを低減することができる利点がある。
【図面の簡単な説明】
【００２８】
【図１】パチンコ機の役物装置の正面図
【図２】役物装置の背面図
【図３】キャラクター部の球停留部と打ち上げ部とを組み付けた状態を説明する斜視図
【図４】球停留部におけるスライド部材の下降時の状態を示す斜視図
【図５】球停留部におけるスライド部材の上昇時の状態を示す斜視図
【図６】打ち上げ部におけるスライド部材の下降時の状態を示す斜視図
【図７】本発明の役物装置を設置した遊技盤の説明図
【符号の説明】
【００２９】
１・・・役物装置
７・・・キャラクター部
９・・・腕（可動体）
１２・・・球停留部
１３・・・ソレノイド（駆動装置）
１５・・・スライド部材（伝達手段）
１６・・・縦溝
１８・・・ストッパー
２１・・・打ち上げ部
２２・・・ソレノイド（駆動装置）
２５・・・スライド部材（伝達手段）
２６・・・突き上げ板
【図１】
2006167146.tif 000003
【図２】
2006167146.tif 000004
【図３】
2006167146.tif 000005
【図４】
2006167146.tif 000006
【図５】
2006167146.tif 000007
【図６】
2006167146.tif 000008
【図７】
2006167146.tif 000009